(57)【特許請求の範囲】
【請求項１】
薬剤容器であって、
薬剤を収納する薬剤ケースと、
トレイ状のトレイ部と、当該トレイ部に接続されるフランジ部とを有し、前記ケースの表面に嵌め込まれるシート状の収納容器と、
前記収納容器の前記トレイ部に収納され、開封後にその外観が経時変化して前記薬剤の有効期間の目安を示すインジケーターと、
前記収納容器を封止し、開封時に剥離されるフィルムとを備え、
前記ケースの表面には、前記収納容器が嵌め込まれる凹部と、前記凹部の周縁部から突出するツメとが設けられ、
前記収納容器には、前記フランジ部の外周縁の一部を含む領域を、前記フランジ部の表面に対して凹ませることによって形成される段差部が設けられ、
前記収納容器を前記ケースに嵌め込んだ状態において、前記ツメが前記段差部に収容されるとともに、前記ツメの表面と前記フランジ部の表面とが同一平面を構成し、
前記フィルムは、前記同一平面を構成する前記フランジ部と前記ツメの表面とにシールされる、薬剤容器。
【発明の詳細な説明】
【技術分野】
【０００１】
本発明は、防虫剤、吸湿剤等の薬剤の容器に関する。
【背景技術】
【０００２】
防虫剤、吸湿剤、脱臭剤等の薬剤の効果が消失したことは、薬剤自体の外観によっては判別できない場合が多い。そのため、薬剤を収納するケースとして、これらの薬剤の有効期間の目安となるインジケーターを見やすい位置に備えたものが一般的である。インジケーターは、例えば、昇華性や揮発性を有する物質そのものや、このような物質を混合または含浸させて成形したシート等であり、量の減少または変色等の外観の経時変化を視認しやすくしたものである。このようなインジケーターは、収納容器に収納され、使用開始時までフィルム等によって収納容器を封止することで、密封性が確保されている。使用者は、薬剤の使用開始と同時にフィルムを剥がす等によって、インジケーターを開封し、その後は、インジケーターの外観変化をときどき観察することで、薬剤の有効期間が経過したか否かの目安を得ることができる。特許文献１−５は、インジケーターを備えた薬剤容器を開示している。
【先行技術文献】
【特許文献】
【０００３】
【特許文献１】実開昭６１−１６４２０１号公報
【特許文献２】実用新案登録第２５７３７３９号公報
【特許文献３】実公平５−４５１８５号公報
【特許文献４】実公平１−１２６１９号公報
【特許文献５】特許第３５２１３５３号明細書
【発明の概要】
【発明が解決しようとする課題】
【０００４】
インジケーターの収納容器が、未使用時に薬剤のケースと分離した状態となっている場合、使用開始時に、収納容器の開封および薬剤ケースへ取り付けるという作業が必要なため、使用者の作業が煩わしかった。そこで、インジケーターの収納容器を、予め薬剤のケースに設けておき、使用開始時には、収納容器の開封作業のみ行うようにすることで、使用者の作業負担を軽減することが考えられる。
【０００５】
しかしながら、薬剤のケースにインジケーターの収納容器が取り付けられた状態で、収納容器を封止するフィルム等を剥がそうとすると、薬剤のケースが障害となって、収納容器をスムーズに開封できないという課題があった。
【０００６】
図４および図５を参照して、このような課題について説明する。図４は、従来の薬剤容器４００を示す図である。薬剤ケース４０１は、中空の箱型のケースであり、通気孔４０５を備えている。また、薬剤ケース４０１の表面に設けられた凹部４０３に、インジケーターの収納容器４０２が嵌め込まれている。図４のＢ−Ｂ´線に沿う断面図を、図５に模式的に示し、詳細をさらに説明する。インジケーターの収容容器４０２（図５の太線）は、インジケーター４０６を収納しており、フィルム４０７によって封止されている。薬剤ケース４０１の凹部４０３の周縁部から突出するツメ４０４と、凹部４０３の間に、フィルム４０７をシールしたインジケーターの収納容器４０２を挟み込んだ状態で、インジケーターの収納容器４０２が薬剤ケース４０１に固定されている。
【０００７】
タブ４０８は、インジケーターの収納容器４０２に接続されている。フィルム４０７はタブ４０８にもシールされている。また、図４に点線で示すように切込み４２０が形成されており、タブ４０８をつまんで引っ張ると、タブ４０８は、切込み４２０の部分で切断され、タブ４０８がフィルム４０７とが一体となった状態で、フィルム４０７を剥離することができる。しかし、フィルム４０７がツメ４０４に引っ掛かるため、フィルム４０７をスムーズに剥がすのは困難である。また、フィルム４０７の引っ掛かりを低減するため、ツメ４０４と収納容器４０２の間の遊びを大きくすると、インジケーターの収納容器４０２の固定状況が不安定になり、外れやすくなる虞がある。
【０００８】
それ故に、本発明の目的は、薬剤ケースにインジケーターの収納容器を設置した薬剤容器において、インジケーターの収納容器を封止するフィルムの開封を容易化することである。
【課題を解決するための手段】
【０００９】
本発明は、薬剤容器であって、薬剤を収納する薬剤ケースと、トレイ状のトレイ部および当該トレイ部に接続されるフランジ部を有し、ケースの表面に嵌め込まれるシート状の収納容器と、収納容器のトレイ部に収納され、開封後にその外観が経時変化して薬剤の有効期間の目安を示すインジケーターと、収納容器を封止し、開封時に剥離されるフィルムとを備え、ケースの表面には、収納容器が嵌め込まれる凹部と、凹部の周縁部から突出するツメとが設けられ、収納容器には、フランジ部の外周縁の一部を含む領域を、フランジ部の表面に対して凹ませることによって形成される段差部が設けられ、収納容器をケースに嵌め込んだ状態において、ツメが段差部に収容されるとともに、ツメの表面とフランジ部の表面とが同一平面を構成し、フィルムは、同一平面を構成するフランジ部とツメの表面とにシールされる、薬剤容器である。
【発明の効果】
【００１０】
本発明によれば、薬剤ケースにインジケーターの収納容器を設置した薬剤容器において、インジケーターの収納容器を封止するフィルムの開封を容易化することができる。
【図面の簡単な説明】
【００１１】
【図１】本発明の実施形態に係る薬剤容器の平面図
【図２】図１のＡ−Ａ´線に沿う薬剤容器の断面図
【図３】本発明の実施形態に係るインジケーターの収納容器および薬剤容器の凹部の斜視図
【図４】従来の薬剤容器の平面図
【図５】図４のＢ−Ｂ´線に沿う薬剤容器の断面図
【発明を実施するための形態】
【００１２】
本発明の実施形態について説明する。図１は、本実施形態の薬剤容器１００を示す図である。薬剤ケース１０１は中空の箱型のケースであり、通気孔１０５を備えている。また薬剤ケース１０１の表面に設けられた凹部１０３に、インジケーターを収容する収納容器１０２が嵌め込まれている。薬剤ケース１０１は、例えば、ポリエチレンテレフタレートを射出成形によって成形したものであり、収納容器１０２は、例えば、ポリエチレンフィルムを真空成形によって成形したものである。
【００１３】
図２は、図１のＡ−Ａ´線に沿う断面図である。また、図３は、薬剤ケース１０１の凹部１０３および収納容器１０２の斜視図である。図２および図３を参照して、以下に、本実施形態の詳細をさらに説明する。
【００１４】
収納容器１０２は、トレイ部１１０の周縁にフランジ部１１１を備えている。また、フランジ部１１１の外周縁の一部を含む領域には、フランジ部１１１の表面に対して凹みを設けた段差部１１２および１１３が形成されている。収納容器１０２は、中央部に設けたトレイ部１１０にインジケーター１０６を収納している。
【００１５】
薬剤ケース１０１の凹部１０３の周縁部からは、ツメ１１４および１１５が形成されている。ツメ１１４および１１５が、収納容器１０２の段差部１１２および１１３にそれぞれ嵌め込まれることにより、収納容器１０２は、薬剤ケース１０１に固定されている。この状態で、ツメ１１４および１１５の表面とフランジ部１１１の表面とが同一平面を構成している。
【００１６】
フィルム１０７は、ツメ１１４および１１５の表面とフランジ部１１１の表面とにシールされて、収納容器１０２のトレイ部１１０を封止する。従来の薬剤容器では、インジケーターの収納容器にツメが嵌め込まれた状態において、ツメの表面のほうが、インジケーターの収納容器の表面より突出していたため、ツメとインジケーターの収納容器とを嵌め合わせた状態でフィルムをシールすると、フィルムとインジケーターの収納容器との間に隙間が発生し、インジケーターの収納容器の表面の一部に未シール箇所やシールの不安定な箇所が発生し、十分な封止性が得られなかった。このような未シール箇所やシールの不安定な箇所をなくすためには、フィルムの形状を、ツメの位置に合わせて切り欠いてから、フィルムをインジケーターの収納容器にシールすることも考えられるが、フィルムの加工コストが高くなってしまう。
【００１７】
本実施形態では、ツメ１１４および１１５の表面とインジケーターの収納容器１０２の表面とが構成する同一平面上に、フィルム１０７をシールすることができるため、収納容器１０２のトレイ部１１０を確実に封止することができる。また、フィルム１０７の加工コストが増加することもない。また、フィルム１０７がツメ１１４および１１５と収納容器１０２との間に挟まれていないため、フィルム１０７を剥がす際、障害となるものがなく、インジケーターの収納容器１０２の開封をスムーズに行うことができる。
【００１８】
なお、従来と同様、タブ１０８が、インジケーターの収納容器１０２に接続されている。フィルム１０７は、凹部１０３を覆うようにシールされるだけでなく、タブ１０８にもシールされている。また、タブ１０８は、点線で示すように切込み１２０が形成されており、タブ１０８をつまんで引っ張ると、タブ１０８は、切込み１２０の部分で切断され、タブ１０８がフィルム１０７とが一体となった状態で、フィルム１０７を剥離することができる。
【００１９】
本実施形態では、薬剤ケース１０１へのインジケーターの収納容器１０２の設置を行う工程は、薬剤ケース１０１のツメ１１４および１１５を、インジケーターの収納容器１０２の段差部１１２および１１３に嵌め込み（第１の工程）、インジケーター１０６を収納容器１０２のトレイ部１１１に収納し（第２の工程）、ツメ１１４および１１５の表面と収納容器のフランジ部１１１の表面とをフィルム１０７でシールする（第３の工程）ことからなる。第１の工程と第２の工程とは、順序が逆でもよい。また、これらの工程は、薬剤ケース１０１に薬剤を収納する工程の前に行ってもよいし後に行ってもよい。
【００２０】
なお、本実施形態では、ツメ１１４は、幅広の形状であり、段差部１１２との接触面積が大きく、かつ、段差部１１２に確実に嵌め込まれるので、インジケーターの収納容器１０２を確実に固定することができる。一方、ツメ１１５は、幅および凹部１０３からの突出長さが小さく、収納容器１０２が凹部１０３の外側に浮き上がるのを防止できる程度に形成されている。これは、インジケーターの収納容器１０２の段差部１１２および１１３に、薬剤ケース１０１のツメ１１４および１１５を嵌め込む作業を容易化するためである。すなわち、本実施形態では、段差部１１２をツメ１１４に引っ掛けて嵌め込んだ後、段差部１１３を凹部１０３に押し込むと、段差部１１３の周縁部が撓んでツメ１１５を容易に乗り越え、固定作業が完了する。これに対し、ツメ１１５が、ツメ１１４と同様の形状である場合、段差部１１３の周縁部が、ツメ１１５を乗り越えるためには、強い力で段差部１１３を撓ませる必要があり、固定作業が困難になってしまう。
【００２１】
フィルム１０７は、例えば、透明蒸着フィルム／ＣＰＰ（無延伸ポリプロピレン）／ＳＰＥ（スーパーポリエチレン）／ＬＬＤＰＥ（直鎖状低密度ポリエチレン）の層構成を有する積層フィルムを用いており、各層の厚さは、１２μｍ、７０μｍ、１５μｍ、１００μｍである。この積層フィルムは、開封時にＳＰＥとＬＬＤＰＥとの間で層間剥離する。ＬＬＤＰＥ層は、開封後もシール状態が維持され、インジケーター１０６が収納容器１０２の外に出るのを防止するとともに、昇華または揮発したインジケーター１０６の成分を一定の透過速度で透過させる。
【００２２】
本実施形態は、あくまで一例である。本発明は本実施形態に限定されず、素材や各寸法は異なっていてもよい。また、本実施形態の薬剤ケースのツメおよびインジケーターの収納容器の段差部の数は２つであるとしたが、１つでもよいし、３つ以上でもよい。ツメの形状も、固定の確実性や固定作業の容易性の観点から、種々の形態を適宜選択することができる。また、フィルムは、本実施形態では、層間剥離フィルムであり、使用時に一部がインジケーターの収納容器にシールされたまま残るものとしたが、インジケーターが収納容器のトレイ部に接着等されて固定されていれば、フィルムは、使用時にすべて剥がれるものとしてもよい。
【産業上の利用可能性】
【００２３】
本発明は、インジケーターを備えた、防虫剤、吸湿剤、脱臭剤等の薬剤容器において有用である。
【符号の説明】
【００２４】
１００、４００    薬剤容器
１０１、４０１    薬剤ケース
１０２、４０２    インジケーターの収納容器
１０３、４０３    凹部
１０５、４０５    通気孔
１０６、４０６    インジケーター
１０７、４０７    フィルム
１０８、４０８    タブ
１１０    トレイ部
１１１    フランジ部
１１２、１１３    段差部
１１４、１１５、４０４    ツメ
１２０、４２０    切込み
【図１】
0005483550.tif 000002
【図２】
0005483550.tif 000003
【図３】
0005483550.tif 000004
【図４】
0005483550.tif 000005
【図５】
0005483550.tif 000006